(57)【要約】【課題】  適用される画像表示装置によらずに正確に照度に応じた画像の調整を行うことが可能な画像表示装置等を提供すること。【解決手段】  画像表示装置の一種であるプロジェクター１００が、外光の照度を測定して当該照度を示す測定値を生成する少なくとも１つの外光測定部１１０と、前記測定値に影響する画像表示装置の種別ごとの補正値を示す補正データ１４９を記憶する記憶部１４０と、前記画像表示装置の種別と、補正データ１４９に基づき、前記測定値を補正する補正部１３０と、前記測定値に基づき、画像の色および明るさの少なくとも一方を調整する調整部１６０を含んで構成される。【選択図】  図３
2011053397.tif 000002
【特許請求の範囲】
【請求項１】
外光の照度を測定して当該照度を示す測定値を生成する少なくとも１つの外光測定部と、
前記外光測定部に前記外光を導くための光ガイドと、
前記測定値に影響する前記光ガイドの種別ごとの補正値を示す補正データを記憶する記憶部と、
前記補正データに基づき、前記測定値を補正する補正部と、
前記測定値に基づき、画像の色および明るさの少なくとも一方を調整する調整部と、
を含む画像表示装置。
【請求項２】
請求項１に記載の画像表示装置において、
前記記憶部は、前記照度と色調モードとの対応を示す前記光ガイドの種別ごとの色調モードデータを記憶し、
前記調整部は、前記測定値と、前記色調モードデータとに基づき、適用する前記色調モードを決定するとともに、当該色調モードに応じて前記画像の色および明るさの少なくとも一方を調整する、
画像表示装置。
【請求項３】
請求項２に記載の画像表示装置において、
判定部を含み、
前記記憶部は、一旦適用される色調モードが決定された後に当該色調モードに該当する前記照度の最小値および最大値の少なくとも一方を変化させる変化値を示すヒステリシスデータを記憶し、
前記判定部は、前記測定値が、前記変化値を反映した状態における適用中の色調モードに該当する範囲内にあるかどうかを判定し、
前記調整部は、前記測定値が前記範囲内にない場合に前記色調モードデータに基づいて新たに適用する色調モードを決定するとともに、当該色調モードに応じて画像の色および明るさの少なくとも一方を調整し、前記測定値が前記範囲内にある場合に前記画像の調整として現在適用中の調整を続行する、
画像表示装置。
【請求項４】
請求項３に記載の画像表示装置において、
前記色調モードデータおよび前記ヒステリシスデータの少なくとも一方の変更要求を示す要求情報に基づき、前記色調モードデータおよび前記ヒステリシスデータの少なくとも一方を更新する更新部を含む、
画像表示装置。
【請求項５】
請求項１〜４のいずれかに記載の画像表示装置において、
前記画像表示装置は、プロジェクターとして形成され、
前記外光測定部は、前記プロジェクターの天面に設けられている、
画像表示装置。
【請求項６】
少なくとも１つの外光測定部と、当該外光測定部に外光を導くための光ガイドとを含む画像表示装置の有するコンピューターが、
前記外光測定部に外光の照度を測定させて当該照度を示す測定値を生成させ、
前記測定値に影響する前記光ガイドの種別ごとの補正値を示す補正データを記憶し、
前記補正データに基づき、前記測定値を補正し、
補正した測定値に基づき、画像の色および明るさの少なくとも一方を調整する、
画像調整方法。
【発明の詳細な説明】
【技術分野】
【０００１】
本発明は、画像表示装置および画像調整方法に関する。
【背景技術】
【０００２】
プロジェクターの周辺の照度を測定し、当該照度に応じて画像の色や明るさを調整するプロジェクターが提案されている。例えば、特開２００６−２６７１４４号公報では、接地面に対する照度センサーの配置に応じて照度センサーの閾値を選択し、照度センサーの測定値に応じて映像信号の輝度成分および色成分の少なくとも一方を変化させるプロジェクターが記載されている。
【先行技術文献】
【特許文献】
【０００３】
【特許文献１】特開２００６−２６７１４４号公報
【発明の概要】
【発明が解決しようとする課題】
【０００４】
しかし、プロジェクターの設置状態が同じであり、かつ、プロジェクター周辺の照度が同じ場合であっても、異なるプロジェクターが適用されると照度の測定値が変わってしまう場合があり、プロジェクター等の画像表示装置の設置状態のみに応じて照度センサーの閾値を選択する手法では不十分である。
【０００５】
本発明にかかるいくつかの態様は、上記課題を解決することにより、適用される画像表示装置によらずに正確に照度に応じた画像の調整を行うことが可能な画像表示装置および画像調整方法を提供するものである。
【課題を解決するための手段】
【０００６】
本発明の態様の１つである画像表示装置は、外光の照度を測定して当該照度を示す測定値を生成する少なくとも１つの外光測定部と、前記外光測定部に前記外光を導くための光ガイドと、前記測定値に影響する前記光ガイドの種別ごとの補正値を示す補正データを記憶する記憶部と、前記補正データに基づき、前記測定値を補正する補正部と、前記測定値に基づき、画像の色および明るさの少なくとも一方を調整する調整部と、を含むことを特徴とする。
【０００７】
また、本発明の態様の１つである画像調整方法は、少なくとも１つの外光測定部と、当該外光測定部に外光を導くための光ガイドとを含む画像表示装置の有するコンピューターが、前記外光測定部に外光の照度を測定させて当該照度を示す測定値を生成させ、前記測定値に影響する前記光ガイドの種別ごとの補正値を示す補正データを記憶し、前記補正データに基づき、前記測定値を補正し、補正した測定値に基づき、画像の色および明るさの少なくとも一方を調整することを特徴とする。
【０００８】
本発明によれば、画像表示装置は、照度センサー等の外光測定部に外光を導くための光ガイドの種別に応じて測定値を補正することにより、正確に照度に応じた画像の調整を行うことができる。
【０００９】
また、前記記憶部は、前記照度と色調モードとの対応を示す前記光ガイドの種別ごとの色調モードデータを記憶し、前記調整部は、前記測定値と、前記色調モードデータとに基づき、適用する前記色調モードを決定するとともに、当該色調モードに応じて前記画像の色および明るさの少なくとも一方を調整してもよい。
【００１０】
これによれば、画像表示装置は、光ガイドの種別に応じて補正した測定値と、光ガイドの種別に応じた色調モードデータを用いて色調モードを決定することにより、適用される画像表示装置によらずに正確に照度に応じた画像の調整を行うことができる。
【００１１】
また、前記画像表示装置は、判定部を含み、前記記憶部は、一旦適用される色調モードが決定された後に当該色調モードに該当する前記照度の最小値および最大値の少なくとも一方を変化させる変化値を示すヒステリシスデータを記憶し、前記判定部は、前記測定値が、前記変化値を反映した状態における適用中の色調モードに該当する範囲内にあるかどうかを判定し、前記調整部は、前記測定値が前記範囲内にない場合に前記色調モードデータに基づいて新たに適用する色調モードを決定するとともに、当該色調モードに応じて画像の色および明るさの少なくとも一方を調整し、前記測定値が前記範囲内にある場合に前記画像の調整として現在適用中の調整を続行してもよい。
【００１２】
これによれば、画像表示装置は、ヒステリシスデータを用いることにより、照度の測定値が変化する場合であっても適切に画像を調整することができる。
【００１３】
また、前記画像表示装置は、前記色調モードデータおよび前記ヒステリシスデータの少なくとも一方の変更要求を示す要求情報に基づき、前記色調モードデータおよび前記ヒステリシスデータの少なくとも一方を更新する更新部を含んでもよい。
【００１４】
これによれば、画像表示装置は、実際の使用環境に応じて色調モード等を決定することができるため、より適切な画像を表示することができる。
【００１５】
また、前記画像表示装置は、プロジェクターとして形成され、前記外光測定部は、前記プロジェクターの天面に設けられていてもよい。
【００１６】
これによれば、プロジェクターは、据置や天吊等の接地状態に関わらず、環境光や照明等の影響を適切に把握することができるため、正確に照度に応じた画像の調整を行うことができる。
【図面の簡単な説明】
【００１７】
【図１】第１の実施例におけるプロジェクターの外観図である。
【図２】図１におけるＡＡ’断面の一部を示す図である。
【図３】第１の実施例におけるプロジェクターの機能ブロック図である。
【図４】家庭用プロジェクターの場合の色調モードデータにおける照度と色調モードとの対応の一例を示す図である。
【図５】業務用プロジェクターの場合の色調モードデータにおける照度と色調モードとの対応の一例を示す図である。
【図６】第１の実施例における画像調整手順を示すフローチャートである。
【図７】２回目以降における照度と色調モードとの対応の一例を示す図である。
【発明を実施するための形態】
【００１８】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１９】
（第１の実施例）
図１は、第１の実施例におけるプロジェクター１００の外観図である。画像表示装置の一種であるプロジェクター１００は、携帯型のプロジェクターである。プロジェクター１００の接地面と対向する上面には、複数の操作ボタン１２１、ズーム調整用のズームリング１２２、フォーカス調整用のフォーカスリング１２３が設けられており、操作ボタン１２１とズームリング１２２の間に外光（例えば、蛍光灯等の照明光、日光等）の照度を測定するための外光測定部１１０が設けられている。
【００２０】
図２は、図１におけるＡＡ’断面の一部を示す図である。外光測定部１１０は、透明なカバー１１４と、光ガイド１１６と、照度センサー１１２を含んで構成されている。光ガイド１１６は、筐体１０４の隙間からカバー１１４を透過した光を照度センサー１１２に導く機能、プロジェクター１００の光源からの光が照度センサー１１２に入射するのを防止する機能、カバー１１４を介してプロジェクター１００の内部を確認できないようにする機能等を有している。
【００２１】
また、光ガイド１１６は、操作ボタン１２１のキートップと一体化されており、プラスチック等によって形成されている。また、照度センサー１１２は、操作ボタン１２１の感圧部１０８等が設けられる基板１０６に設けられている。
【００２２】
例えば、筐体１０４の色が黒色の場合、操作ボタン１２１の色も黒色になり、光ガイド１１６の色も黒色になることが多い。また、例えば、筐体１０４の色が白色の場合、操作ボタン１２１の色も白色になり、光ガイド１１６の色も白色になることが多い。図２に示すように、カバー１１４を透過した光は、光ガイド１１６で反射して照度センサー１１２に入射するため、光ガイド１１６の色の影響を受ける。光ガイド１１６の色が白色のほうが黒色よりも反射率が高いため、同じ外光であっても光ガイド１１６の色によって照度センサー１１２の測定値が変化してしまう。
【００２３】
本実施例のプロジェクター１００は、プロジェクター１００の種別（光ガイド１１６の色等に応じて区分された種別）に応じて外光測定部１１０の測定値を補正することにより、プロジェクター１００の機種等の相違による測定値への影響を軽減している。
【００２４】
また、図１に示すように、外光測定部１１０が操作部分と隣接して配置されている場合、操作時に外光測定部１１０の測定対象領域に手が被ってしまい、測定値が変化してしまうため、一般的なプロジェクターでは、画像の明るさ調整等に影響が生じやすい。本実施例のプロジェクター１００は、測定値の履歴データを用いて色調モード（カラーモード）を決定し、さらに、２回目以降に色調モードを決定する際にヒステリシスデータを用いることにより、測定値の変化による影響を抑制している。
【００２５】
次に、このような機能を有するプロジェクター１００の機能ブロックについて説明する。図３は、第１の実施例におけるプロジェクター１００の機能ブロック図である。プロジェクター１００は、外光の照度を測定して当該照度を示す測定値を生成する外光測定部１１０と、ユーザーの操作に応じて操作情報等を生成する操作部１２０と、測定値を補正する補正部１３０と、種々のデータを記憶する記憶部１４０と、操作情報等に応じて当該データを更新する更新部１３５と、ＰＣ（Personal Computer）等の画像供給装置から画像信号が入力される画像入力部１５０と、画像の色および明るさの調整を行う調整部１６０と、種々の制御を行う制御部１７０と、種々の判定を行う判定部１８０と、調整後の画像を投写する投写部１９０を含んで構成されている。
【００２６】
また、記憶部１４０は、照度、色調モードおよび当該色調モードごとの色および明るさの調整値を示す色調モードデータ１４２、異なる時点における複数の測定値を示す履歴データ１４４、色調モードに該当する照度の最小値および最大値を変化させる変化値を示すヒステリシスデータ１４６、規定の測定回数、判定基準値等を示す設定データ１４８、測定値に影響するプロジェクター１００の種別ごとの補正値を示す補正データ１４９等を記憶している。
【００２７】
なお、色調モードデータ１４２は、プロジェクター１００の種別ごとに設けられている。図４は、家庭用プロジェクターの場合の色調モードデータ１４２における照度と色調モードとの対応の一例を示す図である。また、図５は、業務用プロジェクターの場合の色調モードデータ１４２における照度と色調モードとの対応の一例を示す図である。
【００２８】
例えば、プロジェクター１００の種別が家庭用プロジェクターの場合、照度が０以上３０未満の場合の適用色調モードはシアターであり、照度が３０以上１００未満の場合の適用色調モードはリビング１であり、照度が１００以上２００未満の場合の適用色調モードはリビング２であり、照度が２００以上の場合の適用色調モードはダイナミックである。
【００２９】
また、例えば、プロジェクター１００の種別が業務用プロジェクターの場合、照度が０以上８０未満の場合の適用色調モードはシアターであり、照度が８０以上２００未満の場合の適用色調モードはプレゼンテーション１であり、照度が２００以上４００未満の場合の適用色調モードはプレゼンテーション２であり、照度が４００以上の場合の適用色調モードはダイナミックである。
【００３０】
本実施例では、プロジェクター１００の種別は家庭用プロジェクターであり、図４に示す色調モードデータ１４２が適用されるものとする。
【００３１】
また、プロジェクター１００は、以下のハードウェアを用いてこれらの各部として機能してもよい。例えば、プロジェクター１００は、外光測定部１１０は照度センサー１１２等、操作部１２０は操作ボタン１２１、フォーカスリング１２２、リモートコントローラー等、補正部１３０、更新部１３５、制御部１７０、判定部１８０はＣＰＵ等、記憶部１４０は不揮発性メモリー等、画像入力部１５０は画像信号入力端子、コンバーター等、調整部１６０はＣＰＵ、画像処理回路等、投写部１９０はランプ、液晶パネル、液晶駆動回路、レンズ等を用いてもよい。
【００３２】
次に、プロジェクター１００における画像調整手順について説明する。図６は、第１の実施例における画像調整手順を示すフローチャートである。
【００３３】
制御部１７０は、設定データ１４８に基づき、設定された測定時間間隔（例えば、０．５秒ごと等）で規定回数（例えば、１０回等）外光測定部１１０にプロジェクター１００の外部の照度を測定させる。外光測定部１１０は、制御部１７０による制御に応じて外部の照度を測定して照度を示す測定値を生成する（ステップＳ１）。なお、図１に示すように、外光測定部１１０は、プロジェクター１００の上面に設けられているため、上側の照度を測定する。
【００３４】
補正部１３０は、フラグやユーザー入力情報等によって示されるプロジェクター１００の種別と、補正データ１４９に基づき、測定値を補正する（ステップＳ２）。具体的には、例えば、プロジェクター１００の種別が家庭用プロジェクターである場合は筐体１０４の色が黒色であり、光ガイド１１６の色も黒色であり、プロジェクター１００の種別が業務用プロジェクターである場合は筐体１０４の色が白色であり、光ガイド１１６の色も白色であるものとする。例えば、補正部１３０は、光ガイド１１６の色が白色の種別である場合、光ガイド１１６の色が黒色の種別である場合と比べて測定値を低下させる補正を行ってもよい。
【００３５】
更新部１３５は、外光測定部１１０からの測定値に基づき、履歴データ１４４を更新する（ステップＳ３）。
【００３６】
判定部１８０は、初回の調整であるかどうかを判定する（ステップＳ４）。初回の調整である場合、調整部１６０は、プロジェクター１００の種別と、色調モードデータ１４２と、履歴データ１４４に基づき、適用する色調モードを決定する（ステップＳ５）。
【００３７】
一方、初回の調整でない場合、すなわち、２回目以降の調整である場合、判定部１８０は、変化状態でないかどうかを判定する（ステップＳ６）。変化状態でない場合、プロジェクター１００の種別と、色調モードデータ１４２と、履歴データ１４４と、ヒステリシスデータ１４６に基づき、適用する色調モードを決定する（ステップＳ７）。一方、変化状態である場合は現在の色調モードが適用される色調モードになる。
【００３８】
なお、変化状態は、例えば、照度が急激に変化している状態、照度が変動している状態等である。すなわち、変化状態は、プロジェクター１００の周囲の明るさの状態が変化していることを示している。具体的には、例えば、所与の測定回数（例えば、１０回等）における測定値の最小値と最大値の差分値が第１の所定値（例えば、５０等）以上の場合が照度が急激に変化している状態に該当する。また、例えば、当該差分値が第１の所定値未満であって、かつ、第１の所定値より小さい第２の所定値（例えば、３０等）以上の状態が連続した場合が照度が変動している状態に該当する。
【００３９】
ここで、初回と２回目以降における照度と色調モードとの対応について説明する。上述したように、本実施例のプロジェクター１００の種別は家庭用プロジェクターであるため、初回における照度と色調モードとの対応は図４に示す図が該当する。また、図７は、２回目以降における照度と色調モードとの対応の一例を示す図である。
【００４０】
例えば、初期状態では、照度が０以上３０未満の場合の適用色調モードはシアターであり、照度が３０以上１００未満の場合の適用色調モードはリビング１であり、照度が１００以上２００未満の場合の適用色調モードはリビング２であり、照度が２００以上の場合の適用色調モードはダイナミックである。初回の照度の測定値（例えば、１０回の測定における測定値の平均値等）が１１０である場合、適用色調モードはリビング２である。
【００４１】
一旦色調モードが決定された場合、当該色調モードに該当する照度の上限値と下限値にはヒステリシスデータ１４６の変化値が反映される。ここでは、変化値は２０であるものとする。すなわち、２回目以降は、適用中の色調モードに該当する照度の上限値と下限値が２０変化し、上限値が２２０になり、下限値が８０になる。これにより、照度が８０以上２２０未満の場合の適用色調モードがリビング２になる。
【００４２】
したがって、例えば、２回目の照度の測定値が９５であった場合、通常の手法では色調モードはリビング２からリビング１に変わるが、本実施例の手法では色調モードはリビング２のままで変化しない。
【００４３】
調整部１６０は、決定した色調モードに応じて画像を調整する（ステップＳ８）。より具体的には、例えば、調整部１６０は、色調モードデータ１４２で示される色調モードの調整値に応じて画像のブライトネス、コントラスト、色合い、色の濃さ、シャープネス、色温度、投写部１９０におけるランプの明るさ等を調整し、画像入力部１５０からの画像信号に基づき、画像を生成する。
【００４４】
投写部１９０は、調整部１６０による調整が行われた状態で画像をスクリーン等に投写する（ステップＳ９）。
【００４５】
プロジェクター１００は、操作部１２０からの操作情報に基づき、終了指示があるかどうかを判定し（ステップＳ１０）、終了指示がない場合は一連の処理（ステップＳ１〜Ｓ１０）を続行し、終了指示がある場合は一連の処理を終了する。
【００４６】
以上のように、本実施例によれば、プロジェクター１００は、プロジェクター１００の種別に応じて測定値を補正することにより、適用されるプロジェクター１００によらずに正確に照度に応じた画像の調整を行うことができる。これにより、ユーザーは、最適な画質で画像を観察することができる。
【００４７】
また、本実施例によれば、プロジェクター１００は、プロジェクター１００の種別に応じて補正した測定値とプロジェクター１００の種別に応じた色調モードデータ１４２を用いて色調モードを決定することにより、適用されるプロジェクター１００によらずに正確に照度に応じた画像の調整を行うことができる。
【００４８】
また、本実施例によれば、プロジェクター１００は、変化状態であるかどうかに応じて画像の調整を行うことにより、照度の測定値が変化する場合であっても適切な画像を表示することができる。
【００４９】
また、本実施例によれば、プロジェクター１００は、ヒステリシスデータ１４６を用いることにより、照度の測定値が変化する場合であっても適切な画像を表示することができる。
【００５０】
また、本実施例によれば、プロジェクター１００は、測定値の最小値と最大値の差分値に応じて変化状態であるかどうかを適切に判定することができるため、照度の測定値が変化する場合であっても適切な画像を表示することができる。
【００５１】
特に、図１に示すように、外光測定部１１０が操作部１２０と隣接して配置されている場合は操作部１２０の操作によって照度の測定値が変化しやすいが、プロジェクター１００は、変化状態であるかどうかに応じて画像の調整を行うことにより、照度の測定値が変化する場合であっても適切な画像を表示することができる。
【００５２】
（その他の実施例）
なお、本発明の適用は上述した実施例に限定されず、種々の変形が可能である。例えば、照度の測定値に影響するものは、光ガイド１１６の色に限定されず、例えば、光ガイド１１６の反射率、光ガイド１１６の形状、投写部１９０の光源の光量、投写部１９０の液晶パネルの透過率、投写部１９０のアイリスの開口度、部屋の大きさ、スクリーンや壁等の対象領域の色や反射率等に応じて測定値が補正されてもよい。
【００５３】
また、補正部１３０は、プロジェクター１００の種別に応じて、上述した該当する色調モードの上限値、下限値、基準値等を補正してもよいし、判定部１８０の判定値を補正してもよい。
【００５４】
また、外光測定部１１０の個数は１つに限定されず、２つ以上であってもよい。例えば、外光測定部１１０は、プロジェクター１００の上面と背面（投写レンズのある投写面の対向面）にそれぞれ１つずつ設けられてもよい。
【００５５】
また、操作部１２０は、ユーザーの操作に応じて上述した規定回数および第１の所定値の少なくとも一方の変更要求を示す要求情報を生成し、更新部１３５は、当該要求情報に基づき、設定データ１４８を更新し、判定部１８０は、更新された設定データ１４８に基づき、照度が急激に変化している状態であるかどうかを判定してもよい。
【００５６】
これによれば、プロジェクター１００は、実際の使用環境等に応じて変化状態であるかどうかを適切に判定することができるため、照度の測定値が変化する場合であっても適切な画像を表示することができる。
【００５７】
また、操作部１２０は、ユーザーの操作に応じて色調モードデータ１４２、ヒステリシスデータ１４６等のうちの少なくとも１つの変更要求を示す要求情報を生成し、更新部１３５は、当該要求情報に基づき、色調モードデータ１４２等を更新してもよい。
【００５８】
これによれば、プロジェクター１００は、ユーザーの要求に応じて色調モードに該当する照度の最大値、最小値、適用可能な色調モード、色調モードごとの調整値、上述した変化値等を更新することができ、実際の使用環境に応じて色調モード等を決定することができるため、より適切な画像を投写することができる。
【００５９】
また、調整部１６０は、色調モードに応じた画像の調整として、画像の色と明るさの両方を調整してもよいし、画像の色のみを調整してもよいし、画像の明るさのみを調整してもよい。また、上述した実施例では、プロジェクター１００は、履歴データ１４４とヒステリシスデータ１４６の両方を用いているが、履歴データ１４４を用いずにヒステリシスデータ１４６を用いてもよいし、ヒステリシスデータ１４６を用いずに履歴データ１４４を用いてもよいし、履歴データ１４４とヒステリシスデータ１４６の両方を用いなくてもよい。
【００６０】
また、調整部１６０は、新たに適用する色調モードが元の色調モードと２段階以上異なっている場合（例えば、図６において、新たに適用する色調モードが「シアター」で元の色調モードが「リビング２」の場合等）、１回で新たに適用する色調モードに変化させてもよいし、段階的に新たに適用する色調モードに変化（例えば、上記の場合、一旦「リビング１」を適用してから「シアター」に変化）させてもよい。
【００６１】
また、色調モードデータ１４２は、プロジェクター１００の機種や用途に応じて３種類以上のデータが設けられてもよい。例えば、記憶部１４０は、家庭用の色調モードデータ、業務用の色調モードデータ、教育現場用の色調モードデータを記憶し、調整部１６０は、用途を示すフラグに応じて色調モードデータを選択して使用してもよい。
【００６２】
また、判定部１８０が、新たな色調モードが適用されてから規定時間（例えば、５秒等）の間は変化状態ではないと判定したり、調整部１６０が、新たな色調モードを適用してから規定時間の間は色調モードを変化させないように調整したりしてもよい。
【００６３】
これによれば、プロジェクター１００は、画像の変化を抑制することができるため、ユーザーは、画像を観察しやすい。
【００６４】
また、プロジェクター１００は、情報記憶媒体に記憶されたプログラムを読み取ることにより、上述したプロジェクター１００の各部として機能してもよい。
【００６５】
また、プロジェクター１００は、液晶プロジェクター（透過型、ＬＣＯＳ等の反射型）に限定されず、例えば、デジタルマイクロミラーデバイスを用いたプロジェクター等であってもよい。また、プロジェクター１００の機能を複数の装置（例えば、ＰＣとプロジェクター等）に分散してもよい。
【００６６】
また、画像表示装置は、プロジェクター１００に限定されず、例えば、テレビ、デジタルカメラ、デジタルビデオカメラ、携帯電話、携帯型ゲーム装置、液晶ディスプレイ等であってもよい。
【符号の説明】
【００６７】
１００  プロジェクター、１０４  筐体、１０６  基板、１０８  感圧部、１１０  外光測定部、１１２  照度センサー、１１４  カバー、１１６  光ガイド、１２０  操作部、１２１  操作ボタン、１２２ズームリング、１２３  フォーカスリング、１３０  補正部、１３５  更新部、１４０  記憶部、１４２  色調モードデータ、１４４  履歴データ、１４６  ヒステリシスデータ、１４８  設定データ、１４９  補正データ、１５０  画像入力部、１６０  調整部、１７０  制御部、１８０  判定部、１９０  投写部
【図１】
2011053397.tif 000003
【図２】
2011053397.tif 000004
【図３】
2011053397.tif 000005
【図４】
2011053397.tif 000006
【図５】
2011053397.tif 000007
【図６】
2011053397.tif 000008
【図７】
2011053397.tif 000009